(57)【要約】【課題】複数の冷却対象を、効率よく冷却する強制空冷機構を有する撮像装置の提供すること。【解決手段】撮像装置１０において、機器前方に配置された第１の吸気口２０１、第２の吸気口２０２を持つ２股のダクト２０と、機器の後方に配されファン２１０を介して排気する機器後方のダクトを接続してなる、略Ｔ字形状の風路を持つダクト２０によって、撮像素子１０１と制御基板１２０の冷却を行う。複数の吸気口と連結され、光軸に対して略直交方向の第１の風路と、第１の風路と合流し、後方に排気する第２の風路と、を有し、第１の風路の前方に撮像素子１０１の熱経路が形成され、第２の風路上に、ファン２１０が配置され、第２の風路に、制御基板１２０の熱経路が形成されている。【選択図】図８
2019161567.tif 000002
【特許請求の範囲】
【請求項１】
複数の吸気口と連結され、光軸に対して略直交方向の第１の風路と、前記第１の風路と合流し、後方に排気する第２の風路と、を有し
前記第１の風路の前方に撮像素子の熱経路が形成され、
前記第２の風路上に、ファンが配置され、
前記第２の風路に、制御基板の熱経路が形成されていることを特徴とする撮像装置。
【請求項２】
前記第１の風路と、前記第２の風路は略直交することを特徴とする請求項１に記載の撮像装置。
【請求項３】
前記第１の風路の撮像素子側の１面は、前記撮像素子と弾性部材を介して接続された放熱板であることを特徴とする請求項１に記載の撮像装置。
【請求項４】
前記第１の風路の後方に、前記制御基板以外の熱源が配置されていることを特徴とする請求項１に記載の撮像装置。
【請求項５】
前記制御基板以外の熱源は、記録媒体であることを特徴とする請求項３に記載の撮像装置。
【請求項６】
平面上にアクセサリを固定する為の複数のネジ固定部を有し、
前記ネジ固定部に囲まれた領域の内側に、アクセサリをスライド着脱可能に支持できるアクセサリ着脱部を有し、
前記アクセサリ着脱部のアクセサリ抜去方向に設置されたアクセサリ摺動規制部を有し、
前記アクセサリ摺動規制部は、アクセサリ着脱時のアクセサリの退避位置とアクセサリ装着時のアクセサリのスライド規制位置の間を、前記アクセサリ抜去方向と垂直方向に可動でき、
複数の前記ネジ固定部及び前記アクセサリ着脱部は固定部支持部に固定され、
前記固定部支持部は前記アクセサリ抜去方向と垂直をなすように立ち曲げ部を有することを特徴とする撮像装置。
【請求項７】
前記アクセサリ摺動規制部は前記アクセサリ抜去方向に突出部を有することを特徴とする請求項６に記載の撮像装置。
【請求項８】
前記アクセサリ摺動規制部は付勢部材により付勢され、前記固定部支持部は前記付勢部材を通すため貫通孔を有することを特徴とする請求項６または請求項７に記載の撮像装置
【発明の詳細な説明】
【技術分野】
【０００１】
本発明は、強制空冷機構を有する撮像装置に関するものである。
【背景技術】
【０００２】
デジタルビデオカメラ等の撮像装置では、近年の小型化の要請により、撮像素子実装基板や、電子部品が実装されたメイン制御基板が密集状態で配置されている。また、撮像装置の高画質化に伴い、撮像素子や電子部品の消費電力が大きくなり、装置の発熱量も増大している。
【０００３】
撮像素子は、一般的に高温になるほど性能が低下するため、撮像素子で発生した熱を排熱する必要がある。さらに、メイン制御基板に実装された電子部品で発生した熱で、撮像素子の温度が上昇するため、メイン制御基板で発生する熱も排熱する必要がある。また、メイン制御基板の温度が上昇し、実装された電子部品の保障温度を超えてしまうと、装置の制御が出来なくなり、熱暴走を起こす問題もある。
【０００４】
そこで、撮像装置で発生する熱を排熱するめに、冷却ファンとダクトを備えた撮像装置がよく知られている（特許文献１）。
【先行技術文献】
【特許文献】
【０００５】
【特許文献１】特開２０１６-１３４８１４号公報
【発明の概要】
【発明が解決しようとする課題】
【０００６】
従来の撮像装置において、ダクトは撮像装置における第一の冷却対象である、メイン制御基板の直上に配置されている。また、ダクトは外装カバーの一面に配置された吸気口から、外装カバーの別の一面に位置した排気口まで、機器内部を通る中空の形状で形成されている。
【０００７】
ここで、従来の撮像装置では、メイン制御基板に加え、撮像素子や別の発熱源など、複数の冷却対象を冷却しようとした場合、ダクト経路上の配置順序に制約が発生する。吸気側から流入する空気が発熱源により徐々に暖められ、排気側に近づくにつれ冷却能力が低下する為、ダクトの放熱効率は、吸気側である上流ほど高くなる。そのため、ダクトの放熱効率に留意して発熱源を配置する必要があり、小型化や部品点数削減によるコストダウンの妨げとなることがあった。
【０００８】
そこで、本発明は、複数の冷却対象を、効率よく冷却する強制空冷機構を有する撮像装置の提供することを目的とする。
【課題を解決するための手段】
【０００９】
上記課題を解決すべく、本発明の撮像装置は、複数の吸気口と連結され、光軸に対して略直交方向の第１の風路と、前記第１の風路と合流し、後方に排気する第２の風路と、を有し、前記第１の風路の前方に撮像素子の熱経路が形成され、前記第２の風路上に、ファンが配置され、前記第２の風路に、制御基板の熱経路が形成されていることを特徴とする。
【発明の効果】
【００１０】
本発明によれば、複数の冷却対象を効率よく冷却する強制空冷機構を有する撮像装置の提供が可能となる。
【図面の簡単な説明】
【００１１】
【図１】本実施形態に係る撮像装置の構造を模式的に示す断面図
【図２】本実施形態に係る撮像装置の外観斜視図
【図３】本実施形態に係る撮像装置のフタ開き状態を表す外観斜視図
【図４】本実施形態に係る撮像装置のフロントカバーに関わる部分の分解外観斜視図
【図５】本実施形態に係る撮像装置のダクト部を表す斜視図
【図６】本実施形態に係る撮像装置の後方ダクト部を表す斜視図
【図７】本実施形態に係る撮像装置のダクト構造を模式的に示す断面図
【図８】図７で示す構成部材を模式的に表した図
【図９】本実施形態に係る撮像装置１０にアクセサリを取り付けた状態の外観斜視図
【図１０】本実施形態に係る撮像装置１０の要部の断面を説明する図
【図１１】本実施形態に係る撮像装置１０の要部の構成を示す分解斜視図
【発明を実施するための形態】
【００１２】
以下、発明の実施の形態を通じて本発明を説明する。しかしながら、以下の実施形態は特許請求の範囲に係る発明を限定するものではない。また、実施形態の中で説明されている特徴の組み合わせの全てが発明の解決手段に必須であるとは限らない。尚、実施形態の説明において、撮像装置光軸方向で被写体側を前方、操作者である撮影者側を後方と表現する。
【００１３】
まず、本発明の撮像装置１０の構造について、模式図を用いて説明を行い、次に本発明の実施形態を例に取り、撮像装置の具体的な構成を詳細図を用いて説明する。図１は本実施形態に係る撮像装置１０の要部の構造を模式的に示す断面図である。撮像装置１０は、レンズ１０２後方の合焦面に撮像素子１０１が配置されている。撮像素子１０１は受光面に結像された被写体の像を電子データに変換するものである。図１の１点鎖線で表したＹはレンズ１０２の光軸中心を表している。被写体の結像面には、不図示のＲ色、Ｇ色、Ｂ色の色のみをそれぞれ透過する色フィルタが設けられており、撮像素子１０１に入射した光を、Ｒ色、Ｇ色、Ｂ色の電子データに変換するものである。
【００１４】
撮像素子１０１は撮像素子実装基板１１０に実装されており、撮像素子実装基板１１０の後方には、後述するダクト２０が配置されており、撮像素子１０１ とダクト２０は、弾性部材１０３を介して接触している。本案件では、外気と接続され機器内部を通る風路を成す中空形状の構造体をダクト２０と称する。ダクト２０は、機器前方に配置された第１の吸気口２０１と、第２の吸気口２０２と、後述するファン２１０を介して機器の後方に配された排気口２０４により、図示するように略Ｔ字形状を構成している。
【００１５】
ダクト２０は、前方ダクト部２００と後方ダクト部２２０で構成されている。撮像素子実装基板１１０後方は、ダクト２０を構成する前方ダクト部２００が配され、さらにその後方に、記録メディアスロット１３０が配置されている。記録メディアスロット１３０には、ＳＤカード等着脱可能な記録媒体を挿入することが出来、記録メディアスロット１３０に挿入された記録媒体は、後述する制御基板１２０と、電気的に接続される。これにより、記録メディアにＲ色、Ｇ色、Ｂ色の電子データからなる撮影データを、記録媒体へと不揮発に記憶することが可能となっている。また、ダクト２０を構成する後方ダクト部２２０には、機器全体の動作を制御する制御基板１２０が、弾性部材１２１を介して接触しており、後方ダクト部２２０を挟んで制御基板１２０の対抗面側に、ファン２１０が配置されている。
【００１６】
次に、上述の構成を持つ撮像装置の構造に関して、詳しく説明する。
（第１の実施形態の説明）
図２は、撮像装置１０の外観を表す斜視図で、特に図２（ａ）は、撮像装置１０を側面上側から見た斜視図である。
【００１７】
撮像装置１０は、撮影者が機器の外装に設けられた操作スイッチ１８０ａ〜ｇを操作することで、電源のＯＮ/ＯＦＦや記録映像の確認、各種記録条件の変更などを行うことが出来る。機器の上面には、ストロボやライトなどの接続用台座としてアクセサリシュー１８２と、アクセサリシュー１８２の外側に、４個の取り付けメネジ１８３ａ〜ｄが配置されている。また、フタ１９０を、図３に示すように開くことで、記録メディアスロット１３０とバッテリボックス１５０が露出し、データの記録媒体としての記録メディア３０１と、機器への電源供給用のバッテリ３０２の着脱を行うことが出来る。また、図３に示すように、記録メディアスロット１３０前方には、第１の吸気口２０１が設けられており、外気をダクト２０内部に取り込むことが出来るようになっている。
【００１８】
図２（ｂ）は撮像装置１０を前方下方向から見た斜視図であり、図２（ａ）で示した操作スイッチ１８０ａ〜ｇが配置された面に対し、光軸を挟んで対向する面と、下面を示している。レンズ１０２の撮像素子側端部の横には、ダクト２０の第２の吸気口２０２が設けられており、外気をダクト２０内部に取り込むことが出来るようになっている。このように、撮像装置１０は、第１の吸気口２０１と第２の吸気口２０２の２つの吸気口を有している。
【００１９】
撮像装置１０の下面には、機器を３脚に固定するための、３脚ネジ固定部１９５が配置されている。また、レンズ１０２の側面に、グリップ固定部１９６が設けられており、撮影者によって、図示しない好みのグリップを取り付けることが出来る。グリップ固定部１９６は、光軸に直交した方向へ自在に回動出来るヒンジで構成されており、撮影者が取りつけたグリップを回動させることが出来る。撮像装置１０では、グリップ固定部１９６を突出させた突出部１９７に配置し、内側に第２の吸気口２０２を配置している。このような構成とすることで、第２の吸気口２０２から、冷えた外部の空気が流入し、第２の吸気口２０２周辺が十分に冷却される。このように、第２の吸気口２０２をグリップ固定部１９６に隣接させて配置することで、グリップ固定部１９６の冷却が出来、撮影者の取りつけたグリップは、機器内部で発生する熱によって暖められることがない。
【００２０】
図２（ｃ）は、撮像装置１０を後方から見た斜視図である。撮像装置１０の後方には、液晶パネル１７０とインターフェイスコネクタ１８５ａ〜ｄが設けられている。インターフェイスコネクタ１８５ａ〜ｄの隣には、排気口２０４が設けられており、機器内部で発生した熱により暖められたダクト２０内部の空気を、外部に排出出来るようになっている。液晶パネル１７０には、撮像素子１０１で電子データに変換された被写体像を、スルー画として表示することが出来る。また、機器に設けられたインターフェイスコネクタ１８５ａ〜ｄに、不図示のケーブルを接続すことで、機器の制御や、記録メディア３０１に格納されている電子データの読み出し、音声記録に用いる不図示のマイクと機器の接続を行うことが出来る。
【００２１】
次に、上述の撮像装置の内部構造に関して、詳しく説明する。まず、撮像装置１０のレンズ１０２取り付け構造を説明する。撮像装置１０では、図２（ａ）、（ｂ）にて示されている、撮像装置１０のレンズ１０２を含む前方カバーが、フロントカバーユニット１１としてアセンブリされている。機器から突出したレンズ１０２に外力が加わると、内部に大きな応力が印加されるため、破壊の懸念がある。そのため、レンズ１０２を固定するフロントカバーユニット１１には、高い剛性が求められている。
【００２２】
図４は撮像装置１０のフロントカバーユニット１１の構造を表す要部の分解斜視図である。図４に示すように、フロントカバーユニット１１は、撮像素子１０１が実装された撮像素子実装基板１１０を装着したレンズ１０２と、取り付け板金部材１０４と、樹脂製中間部材１０５と、フロントカバー１０６と、内蔵マイク１０７と、で構成されている。
【００２３】
フロントカバー１０６は、カーボン繊維複合樹脂にて均一な厚さの箱状形状に成型されており、薄く高強度な部材となっている。フロントカバー１０６にはレンズ１０２の根元付近を覆う筒状開口穴部１０８と、外周４隅に、後述する固定ビス１１２のネジ部が貫通する４つの固定穴１０９が形成されている。フロントカバー１０６は、樹脂製中間部材１０５を挟み、取り付け板金部材１０４に対して、前方から固定ビス１１２で締結することで、樹脂製中間部材１０５、取り付け板金部材１０４と一体の構造体となる。ここで、取り付け板金部材１０４の、フロントカバー取り付け部近傍１０４１、１０４２、１０４３、１０４４である固定穴１０９周囲の２面は、立ち曲げられており、さらに剛性が高められている。
【００２４】
レンズ１０２は、樹脂製中間部材１０５、取り付け板金部材１０４と一体になったフロントカバー１０６に対して前方から挿入し、後方から固定ビス１１１にて、取り付け板金部材１０４とレンズ１０２が締結される。また、内蔵マイク１０７を、均一な厚さでリブ等の構造が無いフロントカバー１０６に対して、樹脂製中間部材１０５で位置を規制することが出来るため、フロントカバー１０６のマイク穴１１３に対して位置がずれることなく、一体化することが出来る。
【００２５】
このように構成することによって、撮像装置１０のフロントカバーユニット１１では、レンズ１０２が取り付けられる取り付け板金部材１０４が、高強度な部材で形成されたフロントカバー１０６で補強され、レンズ固定部の剛性が高められている。また、レンズ１０２の代わりに、レンズ装着用のマウントを、取り付け板金部材１０４に固定しても同様の効果が得られる。
【００２６】
次に、撮像装置のダクト構造に関して、詳しく説明する。図１に示すように、撮像素子１０１は撮像素子実装基板１１０に実装されており、撮像素子実装基板１１０の後方に、ダクト２０が配置されている。撮像素子実装基板１１０の後方のダクト２０の風路は、レンズ１０２の光軸Ｙに対して略垂直な方向となっており、撮像素子実装基板１１０とダクト２０は、弾性部材１０３を介して接触している。このように、ダクト２０の風路を光軸Ｙに対して略垂直な方向とすることで、撮像素子１０１の面方向に対して、ダクト２０の風路が平行となるため、撮像素子１０１裏面からの冷却を効率よく行うことが出来る。
【００２７】
図５は撮像装置１０のダクト２０に関わる要部の斜視図である。また、図７は図５で示すダクト２０のＡ-Ａ断面を表す図である。図８は、図７で示すＡ-Ａ断面の構成部材を模式的にあらわした図である。
【００２８】
撮像装置１０のダクト２０は、前方の第１の吸気口２０１、第２の吸気口２０２の２方向から吸気し、後方の１方向排気口２０４から排気する構造となっている。ダクト２０は、前方ダクト部２００と、後方ダクト部２２０で構成されており、前方ダクト部２００と後方ダクト部２２０は、熱伝導性が高い材料で形成されている。後方ダクト部２２０は、制御基板１２０と重ねて配置されており、後方ダクト部２２０にファン２１０が重ねて配置されている。
【００２９】
次に、後方ダクト部２２０について、さらに詳細に説明する。図６は、後方ダクト部２２０の構成を説明する斜視図である。図６（ａ）は、後方ダクト部２２０のファン２１０配置側から見た斜視図であり、図６（ｂ）は、背面から見た斜視図である。後方ダクト部２２０は、前方ダクト部２００との接続部であるダクト接続部２０３が開口したバスタブ形状の後方ダクトベース２２１に、中央に穴２２４を有する後方ダクトフタ部材２２２でフタをし、さらにその上に、ファンの吸気口２２５から吸気し、ファンの排気口２２６に排気するシロッコ方式のファン２１０を重ねて構成されている。ファン２１０内部には回転する羽は配置されており、ファン２１０の羽が回転動作すると、ファンの吸気口２２５から空気が吸気され、ファンの排気口２２６から空気が排気される。その為、後方ダクト部２２０では、前方ダクト部２００からの空気が、ダクト接続部２０３から流入し、ファン２１０に向かって流出する。その後流出した空気は、ファン２１０により機器外部に排出される。ここで、ファンの排気口２２６は、図２（ｃ）に示す機器の排気口２０４と接続されている。
【００３０】
次に、前方ダクト部２００について、さらに詳細に説明する。図８に示すように、前方ダクト部２００は、Ｌ字状の基板保持部材１１５に固定されている。また、前方ダクト部２００は、第１の吸気口２０１、第２の吸気口２０２と、ダクト接続部２０３を有する前方ダクトベース２１１と、撮像素子放熱板２１２と、基板保持部材１１５ の一部である基板保持部材のフタ部１１６にて風路が形成されている。前述したように、前方ダクト部２００は、レンズ１０２の光軸Ｙに対して、略直交する方向に風路が形成されており、撮像素子１０１の広い面積を放熱することが出来る。
【００３１】
次に、撮像装置１０における、ファン２１０動作時のダクト２０内の空気の流れについて説明する。図７、図８に示すように、ダクト２０は、前方ダクト部２００と後方ダクト部２２０が、ダクト接続部２０３で接続されており、Ｔ字状の中空形状を成している。ファン２１０動作時には、ファン２１０は前述したようにＦ３の方向に、ダクト２０内の空気を吸気し、Ｆ４方向に排気する。そのため、前方ダクト部２００の内部では、第１の吸気口２０１から流入した冷えた空気がＦ１の方向に、また、第２の吸気口２０２から流入した冷えた空気がＦ２の方向に、それぞれダクト接続部２０３に向かって流れる。このように、ダクト２０は、第１の吸気口２０１、第２の吸気口２０２から吸気され、排気口２０４から排気される風路を成す。
【００３２】
ここで、後方ダクト部２２０には、制御基板１２０が弾性部材を介して接触している。また、前方ダクト部２００の後方には、記録メディアスロット１３０が配置され、記録メディアスロット１３０と前方ダクト部２００は、弾性部材１２１を介して接触している。さらに、図１にて示すように、前方ダクト部２００の前方と、撮像素子実装基板１１０が、弾性部材１０３を介して接触している。
【００３３】
このような構成により、外気の吸気により、前方ダクト部２００が冷却されることで、撮像素子実装基板１１０と、記録メディアスロット１３０の冷却が行われる。その結果、撮像素子１０１と、記録メディア３０１の冷却がなされる。また、第２の吸気口２０２から流入した冷えた空気も、後方ダクト部２２０に向かいＦ２の方向に流れる。撮像装置１０では、第２の吸気口２０２の１面を撮像素子放熱板２１２で形成している。これにより、第２の吸気口２０２からの流入した冷えた外気が、撮像素子放熱板２１２の表面を流れることにより、撮像素子１０１はさらに冷却される。
【００３４】
ダクト接続部２０３で合流した空気は、後方ダクト部２２０に流入後Ｆ３の方向に流れる。これにより、後方ダクト部２２０が冷却され、制御基板１２０の各素子が冷却される。その後、暖められた空気は、ファン２１０によって、Ｆ４の方向で排気口２０４から排気される。
【００３５】
ここで、排気口２０４からは、機器内部の撮像素子１０１や、制御基板１２０などで暖められた空気が流出する。そのため、第１の吸気口２０１と、第２の吸気口２０２と排気口２０４が近くに設置されていると、ダクト２０に流入する空気の温度が高くなり、冷却効率が低下する。そこで撮像装置１０の排気口２０４は、機器前方の第１の吸気口２０１と、第２の吸気口２０２から遠く、また第１の吸気口２０１と、第２の吸気口２０２と異なる面である後方に設けている。さらに、排気口２０４と連結されるファン２１０と後方ダクト部２２０は、光軸に略垂直な方向の流路を有する前方ダクト部２００に対して、光軸に略平行な方向に配置されている。すなわち、前方ダクト部２００と後方ダクト部２２０で形成されるダクト２０には、Ｔ字状の風路が形成されている。また、前方ダクト部２００の２方向からの吸気が合流するポイントは、ダクト接続部２０３であり、ダクト接続部２０３は、レンズ１０２の光軸Ｙから、側面方向にシフトしている。
【００３６】
これにより、第１の吸気口２０１ からダクト接続部２０３に向かって、撮像素子１０１の面方向に風路が形成され、撮像素子１０１を第１の吸気口２０１から流入する外気によって、効率よく冷却することが出来る。また、第２の吸気口２０２から流入する外気によって、後方ダクト部２２０も冷却され、制御基板１２０も効率よく冷却される。第２の吸気口２０２から後方ダクト部２２０へと繋がる風路上で流速が上昇すると、ダクト接続部２０３の圧力が低下し、ベルヌイの定理により、第１の吸気口２０１から流入する空気が増える。このように、ダクト２０をＴ字状の風路とすることで、撮像素子１０１や、制御基板１２０の効率的な冷却が可能となる。
【００３７】
上述したように構成された撮像装置１０では、第１の吸気口２０１の開口面積に対して第２の吸気口２０２の開口面積を大きく設定することで、制御基板１２０が十分冷却出来るよう、吸気口からの空気の流量の調整を行っている。このように構成することで、複数個所に分離した熱源からの発熱を、２方向からの吸気口を持つダクト２０によって、効率的に行うことが出来る。また図８に示す、Ｌ字状の板金にて形成されダクト２０の一部を成す基板保持部材１１５は、撮像装置１０の外装と接続されており、機器内部に配置される記録メディアスロット１３０と、制御基板１２０、バッテリボックス１５０を固定する保持部材としての役割を担っている。
【００３８】
図１に示すバッテリボックス１５０には、オーディオ基板１６０が取り付けられている。オーディオ基板１６０に、他の電気部品から発生するノイズが影響すると、撮影者が意図しない、不要な音声データが記録される。撮像装置１０では、オーディオ基板１６０を、バッテリ３０２の収納空間を有するバッテリボックス１５０によって、記録メディアスロット１３０から離間している。さらに、制御基板１２０を機器の外側に傾けオーディオ基板１６０から離間している。これにより、オーディオ基板１６０への電気的ノイズの影響を低減している。
【００３９】
また、ダクト２０は、第２の吸気口２０２からの吸気を十分確保し、第２の吸気口２０２からの吸気のみで、撮像素子１０１を冷却することが出来れば、図３に示すフタ１９０の閉時に第１の吸気口２０１を覆うように構成することも可能である。これによって、ユーザが記録メディア３０１を着脱する際、フタ１９０の開状態でのみ、第１の吸気口２０１から流入した空気によってダクト２０が冷却される。これにより、着脱時に記録メディア３０１が急速に冷却され、ユーザが記録メディア３０１を着脱操作する際の、熱さによる不快感を軽減することが出来る。
【００４０】
次に、撮像装置１０の上面構成に関して、詳しく説明する。図９は撮像装置１０にアクセサリを取り付けた状態の外観斜視図である。特に図９（ａ）は撮像装置１０に、ボルト６０１によりアクセサリとしてハンドル６０２を装着した状態を、上面から見た外観斜視図である。図９（ｂ）は撮像装置１０に、アクセサリシュー１８２によりアクセサリとしてビデオライト６０３を装着した状態を、上面から見た外観斜視図である。
【００４１】
図２（ａ）に示すように、撮像装置１０の上面には前述した通り、取り付けメネジ１８３ａ〜ｄが同一平面上に４個設置されている。そのため、図９（ａ）で示すように、ボルト６０１を取り付けメネジ１８３ａ〜ｄに締め込むことにより、大型のアクセサリを固定することができる。図９（ａ）では、撮像装置１０にハンドル６０２を取り付けた状態である。ハンドル６０２の取り付けにより、撮像装置１０を持ち運びしやすくすることができる。ボルト６０１の締め付けによる固定方法は従来、映画撮影を行うことができる大型のビデオカメラで使用されていた。撮像装置１０では、これらの大型のアクセサリを装着することができる。
【００４２】
図９（ｂ）で示すように、撮像装置１０では前述した通り、小型のビデオカメラや静止画撮影用のデジタルカメラで採用されているアクセサリシュー１８２による固定方法も採用している。撮像装置１０ではアクセサリシュー１８２により、小型のアクセサリも装着することが可能である。図９（ｂ）では、撮像装置１０にビデオライト６０３を取り付けた状態である。撮像装置１０にビデオライト６０３を取り付けた状態で撮影を行うと、ビデオライト６０３により被写体を明るく照らした状態で撮影することができる。
【００４３】
図１０は、ビデオライト６０３の取り付けを説明するための、撮像装置１０を示す図である。特に、図１０（ａ）は撮像装置１０にビデオライト６０３を取り付ける最中の断面図の断面位置を示す図であり、その切り口から見た断面図が図１０（ｂ）である。また、図１０（ｃ）はビデオライト６０３の取り付け後の撮像装置１０の断面図の断面位置を示す図であり、その切り口から見た断面図が図１０（ｄ）である。図１１は撮像装置１０の上面側の内部構成を示す分解斜視図である。特に、図１１（ａ）は上面の前方から見た分解斜視図であり、図１１（ｂ）は上面の後方から見た分解斜視図である。
【００４４】
アクセサリシュー１８２の後方には、上下方向に可動でき、２個の摺動規制部付勢部材５０１により上側に付勢された、摺動規制部５０２を有する。図１０（ｂ）で示す通り、ビデオライト６０３をアクセサリシュー１８２に装着する場合は、まず、ビデオライト６０３で摺動規制部５０２を押し下げる。その後、ビデオライト６０３に設置された板状のアクセサリ取付部６０４をアクセサリシュー１８２にスライドさせて挿入する。挿入後、ビデオライト６０３に設置された回転固定部６０５を時計回りに回転操作する。また、アクセサリシュー１８２は両端にコの字形状５０３を有している。回転固定部６０５を時計回りに回転操作するとアクセサリ取付部６０４と回転固定部６０５の距離が縮まる。距離が縮まりコの字形状５０３を挟み込むことで固定を行い、ビデオライト６０３を撮像装置１０に取り付けることができる。
【００４５】
図１０（ｄ）で示す通り、ビデオライト６０３をアクセサリシュー１８２に取り付けた状態では、摺動規制部５０２が上側に付勢された状態に戻る。この状態に戻ると、ビデオライト６０３に前方から衝撃が加わってビデオライト６０３が後方に動いても、アクセサリ取付部６０４が摺動規制部５０２に当接する。そのため、ビデオライト６０３の脱落を防止することができる。
【００４６】
また、ビデオライト６０３を撮像装置１０から離脱する場合は、まず、回転固定部６０５を反時計回りに回転操作し、コの字形状５０３の挟み込みを解除する。その後、摺動規制部５０２を指等で上側から押し、摺動規制部５０２を下側に押し下げる。この状態でビデオライト６０３を後方にスライドさせることにより、ビデオライト６０３を離脱できる。
【００４７】
図１１で示す通り上面外装部材５０４の下側には、取り付けメネジ１８３ａ〜ｄ及び、アクセサリシュー１８２を固定する為の、アクセサリ固定支持部材５０５が設置されている。取り付けメネジ１８３ａ〜ｄ及びアクセサリシュー１８２はアクセサリ固定支持部材５０５にビスにより硬く締結されている。取り付けメネジ１８３ａ〜ｄ及びアクセサリシュー１８２により装着されたアクセサリに、強い衝撃が加わった場合、アクセサリ固定支持部材５０５が変形する恐れがある。それを防ぐために、アクセサリ固定支持部材５０５はステンレス等の強度を有する材質により成型されている。
【００４８】
図１０（ｄ）及び図１１で示す通り、摺動規制部５０２が上側に付勢されているときは、摺動規制部上側当接部５０６が、上面外装部材内壁部５０７に設置された内壁当接部５０８に当接する。当接することにより、摺動規制部５０２の上側方向の移動が規制されている。図１０（ｂ）及び図１１で示す通り、摺動規制部５０２が下側に押し込まれた時は摺動規制部５０２が、アクセサリ固定支持部材５０５の摺動規制部下側当接部５０９に当接する。当接することにより、摺動規制部５０２の下側方向の移動が規制される。アクセサリ固定支持部材５０５の一部である摺動規制部下側当接部５０９は、前述した通り、強度を持ったステンレス等の部材により成型されている。そのため、摺動規制部５０２に上側から強い力が加わっても、摺動規制部下側当接部５０９は変形し難い。
【００４９】
図１０（ｂ）及び図１０（ｄ）で示す通り、摺動規制部５０２は、金属製のバネである摺動規制部付勢部材５０１により付勢されている。しかし、摺動規制部下側当接部５０９と摺動規制部５０２の間にはバネを設置する為のスペースが確保できない。そのため、摺動規制部下側当接部５０９に摺動規制部付勢部材５０１を通す為の貫通孔である付勢部材設置孔５１０が２箇所設置されている。撮像装置１０では付勢部材設置孔５１０の下側にバッテリ３０２を収納する為のバッテリボックス１５０が設置してある。バッテリボックス１５０のには摺動規制部付勢部材５０１を設置するための、付勢部材受け座５１１が２箇所設置してある。付勢部材設置孔５１０を通して、摺動規制部付勢部材５０１でバッテリボックス１５０と摺動規制部５０２を付勢することにより、少ないスペースでも摺動規制部付勢部材５０１を設置することができる。
【００５０】
さらに、アクセサリ取付部６０４を通して前方から摺動規制部５０２に強い衝撃が加わった場合は、アクセサリ取付部６０４の下に摺動規制部５０２が潜りこんでしまう恐れがある。このような場合、ビデオライト６０３がアクセサリシュー１８２から脱落してしまうことが予想される。そのため、図１０（ｄ）及び図１１で示す通り、撮像装置１０の摺動規制部５０２には摺動規制部突出部５１４を設けている。この構成により、アクセサリ取付部６０４が摺動規制部突出部５１４に引っかかり、潜りこみを防ぐことができる。そのため、ビデオライト６０３の脱落を防止することができる。
【００５１】
前述した通り、撮像装置１０では摺動規制部５０２により、ビデオライト６０３の脱落防止構造を施している。また、本発明では従来例にて挙げた、前方からの衝撃による変形に対しても、強度を向上させている。この構造に関して詳細に後述する。前述した通り、撮像装置１０ではアクセサリシュー１８２の後方に摺動規制部５０２を設置しているため、前方からビデオライト６０３に衝撃が加わっても、ビデオライト６０３が脱落することはない。図１１で示す通り、摺動規制部５０２は衝撃に強くするために、四隅を壁で囲まれた箱形状としている。また、摺動規制部５０２は衝撃に強くするために、ガラス繊維等を充填した樹脂材料により成型されている。
【００５２】
ビデオライト６０３に強い衝撃が加わった場合、ビデオライト６０３が後方に動いてしまう場合がある。動いた場合、アクセサリ取付部６０４は摺動規制部５０２に当接する。当接することにより、アクセサリ取付部６０４から摺動規制部５０２に衝撃が加わる。摺動規制部５０２は上面外装部材内壁部５０７に当接している。このため、摺動規制部５０２に加わった衝撃は上面外装部材内壁部５０７に加わる。この衝撃が上面外装部材内壁部５０７に加わった場合は、上面外装部材内壁部５０７が変形をしてしまう恐れがある。そこで、上面外装部材内壁部５０７の後方に、アクセサリ固定支持部材５０５の一部である立ち曲げ当接部５１２を当接させている。そのため、上面外装部材内壁部５０７に加わった衝撃は立ち曲げ当接部５１２に加わる。アクセサリ固定支持部材５０５の一部である立ち曲げ当接部５１２は前述した通り、強度を持ったステンレス等の部材により成型されている。そのため、立ち曲げ当接部５１２は衝撃による変形が起こり難く、それに伴い上面外装部材内壁部５０７の変形も起こり難い構成となっている。
【００５３】
上述した通り、ビデオライト６０３に前方から強い衝撃が加わっても、摺動規制部５０２及び上面外装部材内壁部５０７は変形を起こさず、ビデオライト６０３の脱落を防止できる構成を撮像装置１０では施している。
【００５４】
以上、実施形態を例に取り、撮像装置１０の構造について記述した。本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００５５】
１０  撮像装置
２０  ダクト
１０１  撮像素子
１１５  基板保持部材
１２０  制御基板
１３０  記録メディアスロット
２００  前方ダクト部
２０１  第１の吸気口
２０２  第２の吸気口
２０３  ダクト接続部
２０４  排気口
２１０  ファン
２１１  前方ダクトベース
２１２  撮像素子放熱板
２２０  後方ダクト部
【図１】
2019161567.tif 000003
【図２】
2019161567.tif 000004
【図３】
2019161567.tif 000005
【図４】
2019161567.tif 000006
【図５】
2019161567.tif 000007
【図６】
2019161567.tif 000008
【図７】
2019161567.tif 000009
【図８】
2019161567.tif 000010
【図９】
2019161567.tif 000011
【図１０】
2019161567.tif 000012
【図１１】
2019161567.tif 000013